(57)【特許請求の範囲】
【請求項１】
機枠に軸方向に固定して取り付けたスクリーン筒と、その内側にスクリューをそなえ、前記スクリーン筒の排出側の開口部に押し蓋を設け、スクリューで送られる脱水された固形物が、前記押し蓋を押し上げて、開口部と押し蓋の間隙から排出されるスクリュー脱水機において、前記押し蓋の固形物に接触する押し付け面を円錐状に形成し、スクリューの負荷が大きくなったときに、前記間隙を大きくなるように調整するとともに、押し蓋をスクリューの回転方向に回転させることを特徴とするスクリュー脱水機。
【請求項２】
前記押し蓋の押し付け面に、半径方向の溝を設けた請求項１のスクリュー脱水機。
【発明の詳細な説明】
【０００１】
【発明の属する技術分野】
本発明は、ディスポーザーによって破砕された厨芥などのスラリーを脱水し、固形物として排出させるようにしたスクリュー脱水機に関する。
【０００２】
【従来の技術】
このようなスクリュー脱水機は、機枠内に固定したスクリーン筒の内側にスクリューを設け、スクリーン筒上部の開口部に、ばねで押圧した押し蓋をそなえており、スクリューの下方から供給されるスラリーをスクリーン筒内で圧縮して脱水して固形化し、上部の押し蓋を押し上げた間隙から排出させるようにしているが、スラリー内の繊維質によって塊状に固まった固形物は、開口部の間隙から排出されなくなり、スクリーン筒内でさらに圧縮されて固まり、スクリューの回転を阻止して駆動モータの焼損や、修理を面倒にする欠点があり、実公昭５７−４２６４０号には、押し蓋を直接コイルばねで押圧せずに、ヒンジで取り付け、ヒンジを挟んで押し蓋とは反対側に突設したレバーの先端と、押し蓋より上方の固定部に設けた固定ピンとの間に引っ張りばねを取り付けて押し蓋を押圧させ、押し蓋が開くことによって引っ張りばねによる押し蓋の押圧力が減少するように構成し、排出を容易にするものが示されている。
【０００３】
【発明が解決しようとする課題】
このようにスクリューによる押し上げ力によって固形物が押し蓋を押し上げて排出するものでは、排出による押し蓋の動きによって間隙を調整するので、押し蓋が押し上げられたときに、ばねによる押し付け力を減じさせることにより、かなりの効果が得られるが、キャベツなどのように強く長い繊維質が混じって固まった場合は、押し蓋の押し付け力を弱めただけでは、狭い排出口から十分な排出ができず、過大に押し上げて間隙が大きくなると、スクリューによる圧縮力が低下して脱水が十分に行われなくなる問題があった。
【０００４】
【課題を解決するための手段】
本発明は、押し蓋の固形物に接触する押し付け面を円錐状に形成し、固形物との接触面を傾斜させて排出しやすくするとともに、スクリューの負荷が過大になったときに、排出口の間隙を調整するとともに押し蓋をスクリューの回転方向に回転させるようにしている。
【０００５】
【発明の実施の形態】
スクリュー脱水機のスクリーン筒上部の開口部に設けた押し蓋の、スクリーン筒内の固形物に接触する押し付け面を円錐状にして接触面を傾斜させ、固形物を排出しやすくするとともに、押し蓋の支持棒を回転可能に支持させ、支持棒上端を引っ張りばねによって押し下げるレバーに係合させて押し蓋を開口部に押し付けており、固形物が円滑に排出されずスクリューに拘束力が加わり負荷が大きくなったときは、支持棒をスクリューと同方向に回転させ、押し蓋の固形物と接触する押し付け面を排出の方向に回転させて、排出を容易に行わせるようにしている。
【０００６】
【実施例】
これを厨芥処理機に使用した実施例について説明する。
１は厨芥処理機で、内部にディスポーザー２とスクリュー脱水機３を収納しており、シンク４から水とともに送られる厨芥をディスポーザー２で破砕し、これをスクリュー脱水機３に送って脱水して固形物状にして排出させる。
５はスクリュー脱水機３の機枠、６はスクリーン筒、７はスクリュー、８は送入口、９は排水口、１０はスクリーン筒上部の開口部１１に設けた押し蓋で、スクリーン筒内の固形物と接触する押し付け面１２を円錐状にしている。１３は排出口、１４は押し蓋の支持棒、１５は支持棒上端を軸受を介して支持する押さえ環、１６は一方端を固定部に樞着したレバーで、前記押さえ環１４にピン１７で連結してある。１８はレバー１６と固定部のピン１９間に張架した引っ張りばねである。
２０は支持棒１４を囲んでスプラインにより回転方向にのみ係合させた中空ギヤで、モータ２１によって回転する平歯車２２に噛み合わせている。
【０００７】
ディスポーザー２に水とともに投入された厨芥は、破砕されて送入口８からスクリュー脱水機３に送られ、スクリーン筒６内をスクリュー７の回転で圧縮されて脱水されながらスクリーン筒内を開口部１１へ送られ、引っ張りばね１８でレバー１６を介して押圧されている押し蓋１０を押し上げて開口部１１の間隙から排出される。
比較的柔らかい残飯などの固形物は、開口部１１の間隙から円滑に排出されるが、繊維質が混じってスクリーン筒内で塊状に固まった場合は押し蓋１０の僅かな間隙から排出されず、押し蓋１０を大きく押し上げるが、押し蓋を過大に押し上げると、開口部１１と押し蓋１０との間隙が大きくなって多量の固形物が排出され、スクリュー７による圧縮力が低下して脱水効果が減じられるだけでなく、大量の排出物が排出口１３に流れ込んで詰まりを生じ、運転を止めて固形物を取り出す必要があり、とくにキャベツなどの繊維は固まりを生じやすく、スクリュー７の回転を阻害し、図示しない駆動モータに大きな負荷が加わる。
【０００８】
スクリーン筒６の開口部１１から排出される固形物は、スクリュー７の押し出し力で押し蓋１０を押し上げてスクリューの回転方向に排出されるが、固形物が詰まって排出が困難な状態になると、固形物がスクリュー７の押し上げ力で押し蓋１０を押し上げ、開口部１１の間隙を大きくするように調整するとともに、たとえばスクリュー７の駆動モータに加わる過負荷によって詰まりを検出し、モータ２１を駆動させて平歯車２２を介して中空ギヤ２０を回転させ、スプラインで係合された支持棒１４とともに押し蓋１０をスクリュー７の回転方向に回転させる。このため、押し蓋１０に接触する固形物が、接触部で排出方向の回転力を受け、スクリュー７の排出方向の力と合わせて、固形物の排出方向への回動を助けて開口部１１からの排出を容易にし、確実に排出させる。
【０００９】
なお、支持棒１４の回転は、図示した中空ギヤによるものに限られず、たとえば、支持棒に平歯車を取り付け、平歯車２２と噛み合わせるようにしてもよい。  また、図２に示すように、押し付け面１２に半径方向の溝２３を放射状あるいは渦状に設けておけば、固形物の接触部分が溝に食い込んで接触抵抗が増大し、さらに有効な排出を行わせる。
【００１０】
【発明の効果】
このように本発明は、スクリュー脱水機における押し蓋の固形物と接触する押し付け面を円錐状にし、固形物が排出されずにスクリューに過大な負荷が加わったときに、前記押し蓋をスクリューと同方向に回転させるようにしてあるので、スクリーン筒内で繊維質が混じった固形物が塊状に固まって排出が困難になった場合でも、押し蓋をスクリューと同方向に回転させることによって固形物の排出を円滑に行わせることができ、スクリュー脱水機の信頼度が向上し、作業を円滑にし得る効果がある。
なお、押し蓋の押し付け面に溝を設けることにより、固形物との接触抵抗を増し、排出力を増すことができる。
【図面の簡単な説明】
【図１】本発明を厨芥処理機に使用した実施例を示す側断面図である。
【図２】押し蓋の他の実施例を示す押し付け面の平面図である。
【符号の説明】
１  厨芥処理機
２  ディスポーザー
３  スクリュー脱水機
４  シンク
５  機枠
６  スクリーン筒
７  スクリュー
８  送入口
９  排水口
１０  押し蓋
１１  開口部
１２  押し付け面
１３  排出口
１４  支持棒
１５  押さえ環
１６  レバー
１７  ピン
１８  引っ張りばね
１９  ピン
２０  中空ギヤ
２１  モータ
２２  平歯車
２３  溝
【図１】
0003628121.tif 000002
【図２】
0003628121.tif 000003